(57)【要約】レースをしている航空機システムに電力を分配するためのシステムと方法が提供される。システムは、レースコースと、レースコースの電力分配セクションの方向へ方向づけられた電力送信機と、電力分配セクションにおいて前記航空機システムに電力を遠隔で送信するように構成された電力送信機と、前記電力送信機に動作可能に結合され、前記電力送信機をアクティブにし、指示し、非アクティブにするコントローラを含む。方法は、電力送信機をアクティブにするトリガ条件を検出すること、トリガ条件を検出することに応答して、電力送信機をアクティブにすること、および前記電力を前記航空機システムへ送信することを含む。【選択図】図１
2020531365.tif 000002
【特許請求の範囲】
【請求項１】
航空機システムのレースのためのシステムにおいて、
前記航空機システムがナビゲートするレースコースと、
前記レースコースの電力分配セクションの方向へ向けられた電力送信機であって、前記電力送信機は、前記電力分配セクションにおいて、前記航空機システムへ電力を遠隔で送信するように構成された、電力送信機と、
前記電力送信機に動作可能に結合され、前記航空機システムへ電力を送信するように前記電力送信機をアクティブにし、指示し、および非アクティブにするコントローラと、
を備えた、航空機システムのレースのためのシステム。
【請求項２】
前記電力送信機は、
前記航空機システムへ電力を遠隔で送信するように、レーザビームを放射するように構成されたレーザビームと、
前記レーザビームに結合され、前記レーザビームを方向づけする位置決め機構と、を備えた、請求項１に記載のシステム。
【請求項３】
前記電力送信機は、
前記航空機システムへ電力を遠隔で送信するように、マイクロ波ビームを放射するように構成されたマイクロ波エミッタと、
前記マイクロ波エミッタと結合され、前記マイクロ波ビームを方向づける位置決め機構と、
を備えた、請求項１に記載のシステム。
【請求項４】
前記電力送信機は、
前記航空機システムへ電力を遠隔で送信するように、太陽光を反射するように構成されたリフレクタと、
前記リフレクタに結合され、前記航空機システムの方向へ前記反射された太陽光を方向づける位置決め機構と、
を備えた、請求項１に記載のシステム。
【請求項５】
前記電力送信機は、前記レースコースの前記電力分配セクションに位置される、請求項１に記載のシステム。
【請求項６】
前記電力送信機は、前記レースコースの前記電力分配セクションから離れた衛星上に位置する、請求項１に記載のシステム。
【請求項７】
前記航空機システムは遠隔操縦される、請求項１に記載のシステム。
【請求項８】
前記航空機システムは、有人である、請求項１に記載のシステム。
【請求項９】
前記航空機システムは、
少なくとも１つのエンジンと、前記航空機システムを推進するように構成された推進サブシステムと、
前記航空機システムをナビゲートするように構成されたナビゲーションサブシステムと、
前記電力送信機から電力を受信するように構成された電力受信機と、前記電力受信機からの前記電力を前記航空機システムに電力供給するための使用可能なエネルギに変換するように構成された電力コンバータと、前記航空機システムへ電力供給するための使用可能エネルギを記憶するように構成されたエネルギストレージユニットを含む電力管理サブシステムと、
を備えた、請求項１に記載のシステム。
【請求項１０】
前記電力管理サブシステムは、さらに、前記電力送信機から放射された電力を検出し、前記電力受信機により受信した電力を測定し、前記エネルギストレージユニットにより記憶されたエネルギをモニタするセンサとを備えた、請求項９に記載のシステム。
【請求項１１】
前記ナビゲーションサブシステムは、付近の航空機システムを見つけるためのローカライゼーションシステムをさらに備えた、請求項９に記載のシステム。
【請求項１２】
前記コントローラは、航空機システムが、前記電力分配セクションから所定の距離内にあるとき前記電力送信機をアクティブにするようにさらに構成される、請求項１に記載のシステム。
【請求項１３】
レースコースを通過するレース期間に複数の航空機システムに、電力を遠隔で分配する方法において、
電力送信機のコントローラにおいて、前記電力送信機をアクティブにするためのトリガ条件を検出するステップであって、前記電力送信機は、前記複数の航空機システムから離れている、検出するステップと、
前記トリガ条件を検出することに応答して、電力を供給するために、前記電力送信機をアクティブにするステップと、
前記電力を前記航空機システムへ送信するステップと、
を備えた、レースコースを通過するレース期間に複数の航空機システムに電力を遠隔で分配する方法。
【請求項１４】
前記トリガ条件を検出するステップは、前記複数の航空機システムの１つの航空機システムから信号を受信するステップであって、前記信号は、前記航空機システムの位置と速度に関するデータを含む、受信するステップと、
を備えた、請求項１３に記載の方法。
【請求項１５】
前記信号を受信するステップは、さらに、前記航空機システムから周期信号を受信するステップを備え、前記周期信号は、前記航空機システムの、前記位置と前記速度に関するデータを含む、請求項１４の方法。
【請求項１６】
前記電力を送信するステップは、前記航空機システムの、前記位置と前記速度に基づいて、前記航空機システムの方向へ電力を仕向けるように、前記電力送信機を指示するステップを備えた、請求項１４に記載の方法。
【請求項１７】
前記トリガ条件を検出するステップは、チェックポイントを通過する、前記複数の航空機システムのうちの、１つの航空機システムに基づいて、前記レースコースの前記チェックポイントの、コンピューティングデバイスから信号を、受信するステップを備えた、請求項１３に記載の方法。
【請求項１８】
前記トリガ条件を検出するステップは、前記複数の航空機システムのうちの１つの航空システムから信号を受信するステップを備え、前記信号は、前記電力送信機をアクティブにする要求を含む、請求項１３に記載の方法。
【請求項１９】
前記トリガ条件を検出するステップは、前記コントローラにより、前記複数の航空機システムの１つの航空機システムによる事前定義された操作を検出するステップを備えた、請求項１３に記載の方法。
【請求項２０】
前記コントローラにおいて、前記電力送信機を非アクティブにする停止条件を検出するステップと、
前記停止条件を検出することに応答して、前記電力送信機を非アクティブにするステップと、を更に備えた請求項１３に記載の方法。
【請求項２１】
前記停止条件を検出するステップは、前記電力送信機により、前記複数の航空機システムに放射された電力のしきい値量を検出するステップを備えた、請求項２０に記載の方法。
【請求項２２】
前記停止条件を検出するステップは、
前記複数の航空機システムの、それぞれの航空機システムにより受信された電力に関するデータを含む信号を受信するステップと、
前記信号に基づいて、前記電力送信機を非アクティブにするステップと、を備えた、請求項２０に記載の方法。
【請求項２３】
前記停止条件を検出するステップは、前記複数の航空機システムのうちの１つの航空機システムから信号を受信するステップを備え、前記信号は、前記電力送信機を非アクティブにする要求を含む、請求項２０に記載の方法。
【請求項２４】
ルールセットに基づいて、前記複数の航空機システムの１つまたは複数の航空機システムの間で電力を分配するステップをさらに備えた、請求項１３に記載の方法。
【請求項２５】
前記レースコースをラップからラップへ変更するステップをさらに備えた、請求項１３に記載の方法。
【請求項２６】
複数の遠隔操縦される航空機システムのレースのためのシステムにおいて、
前記複数の航空機システムがナビゲートするレースコースと、
前記レースコースの電力分配セクションにおける電力送信機であって、前記電力送信機は、前記電力分配セクションで，前記複数の航空機システムに電力を遠隔で送信するように構成された、電力送信機と、
前記少なくとも１つの航空機システムが、前記電力分配セクションから所定の距離内にあるとき、少なくとも１つの航空機システムに電力を送信するように前記電力送信機をアクティブにし、
前記少なくとも２つの航空機システムの方向へ電力を方向づけるように、前記電力送信機の位置決め機構を制御し、
前記複数の航空機システムの２以上の間で電力を分配するように、前記電力送信機と前記位置決め機構を制御し、
前記電力送信機を非アクティブにする、
ように前記電力送信機に動作可能に結合されたコントローラと、を備えた、複数の遠隔操縦される航空機システムのレースのためのシステム。
【発明の詳細な説明】
【技術分野】
【０００１】
この開示は、一般に航空機システムに関する。特に、この開示は、電力を航空機システムに分配するシステムに関する。
【背景技術】
【０００２】
航空機システムにおける進歩は、航空機システムを非商業使用のために利用可能にした。例えば、航空機システムは、パイロットがレースコースを通して航空機システムをナビゲートする、レースのようなスポーツイベントに使用することができる。しかしながら、非商用航空機システムのバッテリ電力は、限られているため、レースは、期間が非常に短く、わずか数分または数秒で終わり、多くの時間をセットアップと整理（set up and organize）に必要とする。
【発明の概要】
【０００３】
この開示の態様は、航空機システムのレーシングに関するシステムに向けられている。このシステムは、航空機システムがナビゲートするレースコースと、前記レースコースの電力分配セクションに向けられた電力送信機であって、前記電力送信機は、電力分配において航空機システムへ遠隔で電力を送信するように構成された電力送信機と、前記航空機システムへ電力を送信するように、前記電力送信機をアクティブにし、指示し、非アクティブにするように前記電力送信機に動作可能に結合されたコントローラと、を含む。この発明の第２の態様は、レースコースを通して、レースの期間に複数の航空機システムに遠隔で電力を分配する方法に向けられている。この方法は、電力送信機のコントローラにおいて、前記電力送信機をアクティブにするトリガ条件を検出することを含むステップであって、前記電力送信機は、前記複数の航空機システムから遠隔である、ステップと、前記トリガ条件を検出することに応答して、前記電力送信機をアクティブにして電力を送信するステップと、前記電力を前記航空機システムに送信するステップと、を含む。
【図面の簡単な説明】
【０００４】
【図１】図１は、航空機システムのレースに関する例示システムの概略ブロック図を示す。
【図２】図２は、例示航空機システムのブロック図を示す。
【図３】図３は、図１のシステムの電力分配セクションおよび電力送信機の概略図を示す。
【図４】図４は、レース期間中の航空機システムに電力を分配する例示方法のフローチャートを示す。
【図５】図５は、レース期間中の航空機システに電力を分配する他の例示方法のフローチャートを示す。
【発明を実施するための形態】
【０００５】
この開示は、一般にレース中の航空機システムへ電力を分配することに関する。レースの期間を増大するために、航空機システムは、レースコースの電力分配セクションにおいて、電力送信機から電力を遠隔で受信することができる。航空機システムは、レーザビーム、マイクロ波、または他の電磁放射により電力供給を受けることができる。航空機システムは、信号をコントローラに通信して電源をアクティブにし、電力を放射することができる。航空機システムは、遠隔で電力を受信して、より長い飛行時間を可能にする。コントローラは、放射された電力のしきい値、航空機システムにより受信された電力のしきい値、または２以上の航空機システムに電力を分配するためのルールセットに基づいて航空機システムに電力を分配するように電力分配機をアクティブまたは非アクティブにすることができる。
【０００６】
図１は、航空機システム１０５−１、１０５−２、１０５−３（集合的に航空機システム１０５と呼ばれ、一般には航空機システム１０５と呼ばれる）のレースを行うためのシステム１００を描画する。システム１００は、航空機システム１０５がナビゲートするレースコース１１０と、レースコース１１０の電力分配セクション１１２と、航空機システム１０５に電力を遠隔で供給するように構成される電力送信機１２０と、前記電力送信機１２０をアクティブにし、指示し、非アクティブにするように前記電源と動作可能に結合されたコントローラ１３０を含む。
【０００７】
レースコース１１０は、ゲート、ポール、ブロック等のような物理的コンポーネントまたは障害物を含む物理エレメント１１４により定義されたまたは範囲を定めた物理レースコースであり得る。航空機システム１０５は、それゆえエレメント１１４の周りの空域（air space）を介してナビゲートするように構成される。エレメント１１４は、航空機システム１０５の通路を追跡するように構成することができる。エレメント１１４は、それゆえ、航空機システム１０５から信号または情報を受信するための、センサ、レシーバ等を含む、コンピューティングデバイスを含む。例えば、エレメント１１４は、航空機システム１０５のロケーションに関するシステム１００の観客または他のコンポーネントへの更新を提供するための識別子を受信するために航空機システム１０５と通信するように構成することができる。それゆえ、エレメント１１４は、レースコースのチェックポイントとして動作することができる。
【０００８】
他のインプリメンテーションにおいて、レースコース１１０は、レースコースの１１０の物理的態様により定義されるかまたは区切られた、混合されたリアリティベースのレースコースであり得、例えば、レースが行われる物理トラックまたはスペース（例えば、レーストラック、スポーツスタジアム、オープンフィールド、市街地等、）、並びに、コンピュータにより生成された障害物、ゲート、ポール、ブロック等のようなバーチャルリアリティ（virtual reality）およびオーグメンテッドリアリティ（augmented reality）コンポーネントであり得る。航空機システム１０５は、それゆえ、混合されたリアリティコンポーネントに従う空域を介してナビゲートするように構成される。さらなるインプリメンテーションにおいて、レースコース１１０は、混合されたリアリティコンポーネントとの物理コースの組み合わせであり得る。レースコース１１０は、航空機システム１０５が、地上からほぼ同じ距離または高さでコース１１０を介して水平方向にナビゲートするように水平に配置することができ、または、レースコース１１０は、航空機システム１０５がコースを介して地上へ向かう方向へまたは地上から遠ざかる方向へナビゲートするように、垂直に配置することができ、または、レースコースは、水平および垂直のナビゲーションコンポーネントを含むことができる。いくつかの実装形態では、レースコース１１０は、プロパティ（property）またはプロパティのグループまたは他の広い領域にわたって空域に広がる場合がある。
【０００９】
また、レースコース１１０は、電力分配セクション１１２を含む。電力分配セクション１１２は、以下の詳細に記述するように、航空機システムが、電力送信機１２０から遠隔で電力を受信することができるレースコースのセクションである。レースコース１１０は、レースコースと統合された電力分配セクション１１２を有することができるので、航空機システムは、レースコース１１０の一部として電力分配セクション１１２を介してナビゲートすることができる。いくつかの実施形態において、電力分配セクション１１２は、レースコース１１０から、外れて位置してもよい。例えば、航空機システムは、ピットストップ（pit-stop）のスタイルで、電力送信機１２０から電力を受信するためにレースコース１１０から離れてナビゲートする必要がある。レースコース１１０は、また、レースコース１１０の異なるセクションに位置する複数の電力分配セクション１１２を含むことができる。電力分配セクション１１２は、レースコース１１０と統合することができ、または、コースから外れることができ、またはいくつかの電力分配セクション１１２は、他の電力分配セクションがコースから外れていながら、レースコース１１０に統合することができる。
【００１０】
図２は、航空機システム１０５のブロック図を描画する。航空機システム１０５は、推進サブシステム２０５、ナビゲーションサブシステム２１０、電力管理サブシステム２１５及び通信インタフェース２２０と相互接続された航空機コントローラ２００を含む。航空機システム１０５は、無人航空機システム（ＵＡＳ）であり、自律的に制御されたＵＡＳｓと遠隔操縦されるＵＡＳｓを含む。
【００１１】
航空機コントローラ２００は、中央処理装置（ＣＰＵ）、マイクロコントローラ、マイクロプロセッサ、プロセッシングコア、フィールドプログラマブルゲートアレイ（ＦＰＧＡ）、または類似物を含むことができる。プロセッサは、複数の協働プロセッサを含むことができる。航空機コントローラ２００は、メモリ２０２と協働して、ここで述べた機能を実現するための命令を実行することができる。メモリ２０２は、リードオンリメモリ（ＲＯＭ）、ランダムアクセスメモリ（ＲＡＭ）、フラッシュメモリ、磁気ストレージ、光学ストレージ、および同等物の任意の組み合わせを含むことができる。メモリ２０２のすべてまたはいくつかはコントローラ２００と集積することができる。コントローラ２００は、コンピュータとしてインプリメントすることができる。特に、コントローラ２００は、航空機システム１０５を制御して、レースコース１１０をナビゲートすることができる。
【００１２】
推進サブシステム２０５は、少なくとも１つのエンジンを含み、航空機システム１０５を推進（propel）するように構成される。例えば、推進サブシステム２０５は、（例えば、固定翼等で）推進力（thrust）と上昇力（lift）を提供するために、ほぼ垂直平面に回転する少なくとも１つのエンジンにより駆動されるように構成されたプロペラと、上昇力を提供するためにほぼ水平面に回転するようにエンジンにより駆動されるように構成されたロータと、または、航空機システム１０５を推進させるための他の適切な機構を含むことができる。
【００１３】
ナビゲーティングサブシステム２１０は、センサ、ビーコン、ローカライゼーションシステム（localization system）、等を含み付近の航空機システム１０５またはエレメント１１４を検出することができる。例えば、ナビゲーションサブシステム２１０は、ＲＡＤＡＲセンサ、ＬＩＤＡＲセンサ、光学センサ等を含むことができる。ナビゲーションサブシステム２１０は、さらに位置情報を得るために、ＧＰＳ衛星からの信号を受信して処理するためのグローバルポジショニングシステム（ＧＰＳ）を含むことができる。ナビゲーションサブシステム２１０は、レースコース１１０およびレースコース１１０上で検出されたエレメント１１４のトポグラフィー（topography）を示すマップデータを生成するように構成することができる。マップデータは、例えば、ＧＰＳデータ、センサおよびローカライゼーションシステム等から受信したデータに基づいて生成することができる。ナビゲーションサブシステム２１０は、さらに、マップデータに基づいて、レースコース１１０とエレメント１１４を通過する航空機システムをナビゲートするためのナビゲーションデータを生成することができる。ナビゲーションデータは、例えば、航空機システム１０５が自律的にナビゲートしたり、あるいは、人間のオペレータのためのリモートコントロールシステム上のディスプレイに関するナビゲーションデータを提供することを可能にする。ナビゲーションサブシステム１２０は、また、マップデータとナビゲーションデータを記憶する、例えば、メモリ２０２に記憶されたレポジトリを含むことができる。
【００１４】
電力管理サブシステム２１５は、電力送信機１２０から電力を受信するように構成された電力レシーバ（ここでは、単にレシーバと呼ばれる）と、レシーバから受信した電力を航空機システム１０５により使用可能なエネルギに変換するように構成された電力コンバータ（ここでは、単にコンバータと呼ばれる）と、使用可能なエネルギを記憶するように構成されたエネルギストレージユニットを含む。いくつかの例において、レシーバ、コンバータ、およびエネルギストレージユニットの１つ以上を集積することができる。例えば、レシーバは、マイクロ波放射を受信し、航空機システム１０５に電力を供給する（例えば、推進サブシステム２０５を駆動するためのエンジンに電力を供給する）ために使用する直流（ＤＣ）エネルギに変換するためのマイクロ波放射を受信し、マイクロ波放射を整流するためのレクテナ（rectenna）として、コンバータと集積することができる。他の例において、レシーバは、レーザビームまたは電磁放射の他の周波数（例えば、低周波数、赤外線、紫外線、Ｘ線、ガンマ線等）を受信するように構成することができる。たとえば、レシーバとコンバータは、ソーラエネルギを受信し変換するように構成されたソーラセルとして集積することができる。
【００１５】
いくつかのインプリメンテーションにおいて、レシーバは、電力送信機１２０から電力を受信するための利用可能な表面エリアを増加させるためにメインボディとウイングを含む、航空機システム１０５の下面（underside）に位置することができる。他のインプリメンテーションにおいて、レシーバは、電力送信機１２０から電力を受信するための、上面を含む、航空機システム１０５のメインボディをカバーすることができる。航空機システム１０５は、受信した電力をエネルギに変換し、エネルギをエネルギストレージユニットに記憶するように構成することができるか、あるいは、航空機システム１０５は、電力を直接航空機システム１０５に電力供給するエネルギに変換することができる。
【００１６】
エネルギストレージユニットは、コンバータからエネルギを受信し、エネルギを航空機システム１０５のアクセス可能な形態で記憶するように構成される。たとえば、エネルギストレージユニットは、リチャージャブルバッテリを含むことができる。他の例において、エネルギストレージユニットは、超電導磁気エネルギストレージ（ＳＭＥＳ）システムを用いることを含むことができる。特に、ＳＭＥＳシステムは、電流を超電導（例えば、超電導コイル）に通すことにより作られる磁界の形態でエネルギを記憶する。ＳＭＥＳはさらに、超伝導体をその極低温臨海温度未満に冷却するように構成された極低温冷却剤を含み、それによりＳＭＥＳが磁界を生成するときの抵抗損失を低減する。記憶されたエネルギは、次に、コイルを放電することにより、航空機システム１０５に電力を供給するのに使用するために放電（release）することができる。さらなる例において、エネルギストレージユニットは、キャパシタ、インダクタ、または他の適切な能動および受動素子を含むことができる。
【００１７】
電力管理システム２１５はさらに、電力送信機１２０から放出された電力を検出し、レシーバにより受信された電力を測定し、例えばセンサまたは同等物を用いてエネルギストレージユニット内のエネルギレベルをモニタするように構成することができる。センサから取得したエネルギおよび／または電力データは、さらなる処理のために電力管理サブシステム２１５のリポジトリに記憶（例えば、メモリ２０２に記憶）することができる。
【００１８】
通信インタフェース２２０は、１つまたは複数のネットワーク（例えば、ローカルおよびワイドエリアネットワークの両方）を横断（traverse）するダイレクトリンク（direct links）またはリンク（links）を含むリンクを介して、航空機システム１０５が他の航空機システム１０５のような他のコンピューティングシステムと通信することを可能にする適切なハードウエア（例えば、トランスミッタ、レシーバ、ネットワークインタフェースコントローラ等）を含む。通信インタフェース２２０の特定のコンポーネントは、航空機システム１０５が通信するネットワークの種類または他のリンクに基づいて選択される。
【００１９】
例えば、自律的に制御される航空機システム１０５において、コントローラ２００は、レースコース１１０のマップデータを検出し記憶し、マップデータに基づいてレースコース１１０を介して経路をナビゲートするためのナビゲーションデータを生成するようにナビゲーションサブシステム２１０を制御するように構成することができる。特に、ナビゲーションサブシステム２１０は、電力配分セクション１１２のロケーションを検出し、記憶するように構成することができる。従って、例えば、電力管理サブシステム２１５が低エネルギレベルを検出すると、コントローラ２００は、ナビゲーションサブシステム２１０を制御して航空機システム１０５が電力分配セクション１１２へナビゲートするためのナビゲーションデータを生成するすることができる。コントローラ２００は次に、推進システムを制御して、ナビゲーションデータに従って、航空機システム１０５を電力分配セクション１１２に移動させることができる。
【００２０】
他の例において、航空機システム１０５は、レースコース１１０を介して航空機システム１０５を操縦する人間オペレータにより操作されるリモートコントロールシステムから通信インタフェースを介してナビゲーションデータを受信することができる。電力管理サブシステム２１５が低エネルギレベルを検出すると、コントローラ２００は、通知を、通信インタフェース２２０を介してリモートコントロールシステムに通信することができる。
【００２１】
図３は、第１の電力トランスミッタ１２０−１と第２の電力トランスミッタ１２０−２と電源コントローラ１３０を含む、レースコース１１０の電力分配セクション１１２を描画する。図３は、電力ビーム１２２−１、１２２−２の形態で電力送信機１２０から電力を受信する航空機システム１０５−１、１０５−２を描画する。
【００２２】
一般に、電力送信機１２０は、レースコース１１０の電力配分セクション１１２へ電力を送信するように構成される。電力送信機１２０は、電力配分セクション１１２において航空機システム１０５へ電力を遠隔で送信するように構成される。例えば、電力送信機１２０−１は、レーザ、送信機チップ、アンテナまたはマイクロ波の形態で電力を放射するように構成された他の適切な電源、レーザビーム、または電磁放射スペクトル上の他の周波数の他の放射のような電源を含む。特に、電源は、ビーム１２２−１のようなフォーカスされた電力ビームを航空機システム１０５−１へ放射することができる。他の例において、電力は、電源により、全方向に放射することができる。電力トランスミッタ１２０−２は、外部ソース（例えば、ソーラエネルギ）から電力を受信し送信するように構成される。電力トランスミッタ１２０−２は、それゆえ、反射ビーム１２２−２の形態で電力配分セクション１１２において航空機システムの方向へ太陽光を向けなおすように構成されたリフレクタ（reflectors）を含むことができる。例えば、リフレクタは、航空機システム１０５における受信を改善するように太陽光をフォーカスするように特に構成されることができる。さらに、電力トランスミッタ１２０は、電力を電力分配セクション１２２、または、航空機システムへ受け渡すように仕向けるように電源および／またはリフレクタを位置決めするための位置決め機構１２１を含むことができる。例えば、位置決め機構１２１は、航空機システム１０５へ受け渡すこと、または太陽を追いかけることに応答してリフレクタを再位置決めすることができる。
【００２３】
いくつかのインプリメンテーションにおいて、電力送信機１２０および／または電力分配セクション１１２は、１つまたは複数のエレメント１１４と集積することができる。例えば、エレメント１１４は、航空機システム１０５がナビゲートする２つのサイドポスト（side posts）を有するゲートであり得る。電力送信機１２０は、航空機システム１０５が２つのサイドポストを通過するときに電力送信機１２０から電力を遠隔で受信するように、２つのサイドポストの間の電力分配セクション１１２に向けて電力を送信するように構成することができる。他のインプリメンテーションにおいて、エレメント１１４は、航空機システム１０５がナビゲートするトンネルであり得る。
【００２４】
電力送信機１２０は、レーザまたはマイクロ波ビームをトンネルの方へ仕向けるように構成された電源（例えば、レーザ、マイクロ波、または同等物）と、航空機システム１０５が電源から、およびリフレクタから外れた反射光から直接電力を遠隔的に受信するように、トンネル内のレーザまたはマイクロ波を反射するように構成されたリフレクタの両方を含むことができる。例えば、電源は、トンネル内の反射を増幅するように全方向に電力を放射するように構成することができる。さらに、航空機システム１０５は、任意の方向から受信した電力を増幅するように、上面（top side）を含む、航空機システム１０５のメインボディを受信機にカバーさせるように構成することができる。電力送信機１２０は、地上ベースの電源のように、レースコース１１０の電力分配セクション１１２に物理的に位置させることができる。
【００２５】
例えば、電力送信機１２０は、トラック、船、または電力分配セクション１１２における他の航空機システムのような他のモバイルプラットフォームに配置することができる。代替的に、電力送信機１２０は、電力分配セクション１１２（例えば、衛星上に位置する）から離れて、電力配分セクション１１２の方向へ電力を向けるように構成することができる。例えば、電力送信機１２０は、低軌道（ＬＥＯ）衛星、中軌道（ＭＥＯ）衛星、静止軌道（ＧＥＯ）衛星、および中継エレメントと航空機システム１０５との間で電力を中継するための他の適切な中継エレメント（例えば、飛行船または他の航空システム）を含む電力中継システムを含むことができる。例えば、ＬＥＯ、ＭＥＯ、ＧＥＯにおける衛星は、中継エレメントを充電するために電力（例えば、マイクロ波、太陽光または同等物）を発するかまたは仕向け、つぎに、電力を航空機システム１０５に発するか仕向けることができる。特に、中継エレメントは、電力受信能力（例えば、受信機、コンバータ、およびストレージユニット）と電力送信能力（例えば、エミッタおよび／またはリフレクタを含む）の両方を含む。コントローラ１２０は、動作可能に電源に接続され、一般的に電力送信機１２０をアクティブにし、指示し、非アクティブにするように構成される。コントローラ１２０は、中央処理装置（ＣＰＵ）、マイクロコントローラ、マイクロプロセッサ、プロセッシングコア、フィールドプログラマブルゲートアレイ（ＦＰＧＡ）、または同等物を含むことができる。プロセッサは、複数の協働プロセッサを含むことができる。
【００２６】
コントローラ１３０は、メモリと協働して、ここで述べた機能を実現するための命令を実行することができる。メモリは、リードオンリメモリ（ＲＯＭ）、ランダムアクセスメモリ（ＲＡＭ）、フラッシュメモリ、磁気ストレージ、光学ストレージ、および同等物を含むことができる。メモリのすべてまたはいくつかは、コントローラ１３０と集積することができる。コントローラ１３０とメモリは、コンピュータとしてインプリメントすることができる。
【００２７】
電力送信機１２０とコントローラ１３０は各々双方向通信用に構成されたネットワークインタフェースを含むことができ、ネットワークの種類に適したネットワークアダプタとドライバを含むことができる。適切なコンピュータネットワークの例は、イントラネット、ローカルエリアネットワーク、ワイドエリアネットワーク、バーチャルプライベートネットワーク（ＶＰＮ）、Ｗｉ−Ｆｉネットワーク、短距離無線ネットワーク（例えば、ブルートゥース（登録商標）またはブルートゥースロウエネルギ（Bluetooth Low Energy）、インターネット、そのようなものの組みあわせ、および同等物のようなインタネットプロトコル（ＩＰ）ネットワークを含む。電力送信機１２０とコントローラ１３０は、各々ＵＳＢ通信のような他の種類の通信のためのポートとコントローラを含むことができる。
【００２８】
動作中、コントローラ１３０は、電力送信機１２０に結合され、トリガ条件を検出することに応答して、電力送信機１２０をアクティブにし、指示し、以下に、さらに詳細に記載するように、停止条件を検出することに応答して電力送信機１２０を非アクティブにする。電力送信機１２０をアクティブにし、指示することは、電源をアクティブにすること、電源のための位置決め機構を制御すること、リフレクタが、レースコース１１０の電力分配セクション１１２方向へ電力を仕向けるのを可能にする位置決め機構を制御することを含むことができる。電力送信機１２０を非アクティブにすることは、電源を非アクティブにすること、電源に関する位置決め機構を制御すること、リフレクタが、電力分配セクション１１２方向へ仕向けられた電力を停止するための位置決め機構を含むことができる。
【００２９】
図４は、複数の航空機システムに電力を遠隔で分配する方法４００のフローチャートを描画する。方法４００の説明を補助するために、方法４００は、システム１００を用いて実行されると仮定する。しかしながら、方法４００は、他の適切なシステムにより実行可能であることが理解される。
【００３０】
ブロック４０５において、コントローラ１３０は、電力送信機をアクティブにするトリガ条件を検出する。例えば、トリガ条件は、航空機システム１０５の電力分配セクション１１２への閾値近接度であり得る。コントローラ１３０は、電力分配セクション１１２付近の航空機システム（例えば、センサまたは同等物を介して）を検出することができ、または、コントローラ１３０は、航空機システム１０５の位置と速度に関するデータを含む航空機システム１０５からの信号を受信することができる。いくつかのインプリメンテーションにおいて、航空機システム１０５は、位置と速度に関するデータを含む信号を周期的に送信することができ、コントローラ１３０は、将来の位置（例えば、第１と第２の位置を比較することにより、または速度データを用いて）を推定するように構成することができる。航空機システム１０５が電力分配セクション１１２の所定の距離内（すなわち、閾値近接度内）であると判断されるとき、コントローラ１３０は、電力送信機１２０をアクティブにするように構成することができる。
【００３１】
他の例において、トリガ条件は、チェックポイントとして作用するエレメント１１４への航空機システム１０５の閾値近接度であり得る。例えば、航空機システム１０５は、エレメント１１４を検出すると、コントローラ１３０へ信号を送信するように構成することができる。代替的に、エレメント１１４は、特に、エレメント１１４におけるコンピューティングデバイスは、エレメント１１４を通過する航空機システムに基づいてコントローラ１３０に信号を送信するように構成することができる。例えば、チェックポイント（すなわち、エレメント１１４）のコンピューティングデバイスは、航空機システム１０５を（例えば、センサまたは同等物を介して）検出するように構成することができる。他の例において、エレメント１１４は、航空機システム１０５からの位置と速度に関するデータを含む信号を受信するように構成することができ、信号をコントローラ１３０に中継することができる。
【００３２】
さらなるインプリメンテーションにおいて、トリガ条件は、航空機システム１０５から信号を受信することにより検出することができ、信号は、電力送信機１２０をアクティブにする要求を含む。さらなるインプリメンテーションにおいて、トリガ条件は、航空機システム１０５による事前定義された操作（maneuver）を検出することにより（例えば、エレメント１１４ｂにおけるセンサ、またはコントローラ１３０を介して）検出することができる。コントローラは、上記及び他の適切なトリガ条件の１つまたは複数またはそれらの組み合わせを検出すると、ブロック４１０に進むように構成することができる。
【００３３】
ブロック４１０において、トリガ条件を検出することに応答して、コントローラ１３０は、電力送信機１２０をアクティブにするように構成される。例えば、コントローラ１３０は、電力送信機１２０のレーザ、またはマイクロ波エミッタのような、電源をアクティブにするように構成することができる。他の例において、コントローラ１２０は、電力分配セクション１１２の方向への電力ビームの反射を可能にするようにリフレクタを配向するように、位置決め機構を制御するように構成することができる。
【００３４】
ブロック４１５において、電力送信機１２０は、電力分配セクション１１２において、例えば、レーザビーム、マイクロ波または他の電磁放射の形態で、電力分配セクション１１２内の航空機システム１０５へ電力を送信するように構成される。いくつかのインプリメンテーションにおいて、コントローラ１３０は、ブロック４０５で受信した位置と速度データに基づいて、航空機システム１０５の方向へ、または、航空機システム１０５の予測ロケーションの方向へ、電力ビーム１２２を方向づけするように電力送信機１２０を指示する。
【００３５】
他のインプリメンテーションにおいて、電力送信機１２０は、全方向に電力を放射するように構成することができる。例えば、電力送信機１２０は、レースコースの電力分配セクション１１２において全方向に電力ビーム１２２を放射することができる。電力分配セクション１１２は、電力ビーム１２２を反射するように構成されたトンネル内に含めることができるので、航空機システム１０５がトンネルを通過するようにナビゲートすると、航空機システム１０５は、少なくとも１つの電力ビームから、またはその反射から電力を受信する可能性がある。
【００３６】
図５を参照すると、複数の航空機システムへ遠隔で電力を分配する例示方法５００が記載される。方法５００の説明を補助するために、方法５００は、システム１００を用いて実行されると仮定するが、方法５００は、他の適切なシステムにより実行することができることが理解される。
【００３７】
方法５００は、上述したブロック４０５、４１０、４１５を含む。システム１００は、次にブロック５２０に進むように構成される。ブロック５２０において、コントローラ１３０は、電力送信機および位置決め機構を制御することにより、ルールセットに基づいて複数の航空機システムのうちの２以上の航空機システム１０５の間で電力を分配するように電力送信機１２０に指示するように構成される。ルールセットは、電力分配セクション１１２に航空機システム１０５が到着する順番、航空機システム１０５が有する電力残量、電源から航空機システム１０５がすでに受信した電力量、電力送信機１２０からの距離、および他の類似の条件を考察することができる。ブロック５２５において、コントローラ１３０は、停止条件が検出されるかどうかを判断するように構成される。
【００３８】
ブロック５２５において、停止条件が検出されない場合、コントローラ１３０は、ブロック４１５に進み、電力を航空機システム１０５に送信し続ける。例えば、停止条件は、電力送信機１２０により複数の航空機システム１０５に放射された電力の閾値量であり得る。電力の第１の閾値量は、例えば、レース機構の一部として異なるロケーションにおける、複数の電力分配セクション１１２および電力送信機１２０と一緒に、使用することができる。例えば、各電力送信機１２０は、いくつかのある最大単位の電力のみを送信することができ、それにより、レーサに、どの電力送信機１２０にナビゲートするかに関して戦略的決定をするように要求する。
【００３９】
他の例において、停止条件は、１つまたは複数の航空機システム１０５により受信された電力の閾値量でありえる。例えば、航空機システム１０５は、それぞれの航空機システム１０５により受信した電力に関するデータを含む信号を送信するように構成することができる。１つまたは複数の航空機システム１０５により受信された電力の閾値量は、航空機システム１０５の１つにより安全に記憶することができた電力の最大量に基づくことができる。第２の閾値条件もレースメカニズムに組み込みことができる。例えば、航空機システム１０５は、各電力送信機１２０から最大数の単位の電力を受信し、レーサは、コースを完了するのに必要な電力を受信するための電力送信機１２０を含む、少なくともある数の電力分配セクション１１２を通過するようにナビゲートすることを必要とする。
【００４０】
さらなるインプリメンテーションにおいて、停止条件は、航空機システム１０５から信号を受信することにより検出することができ、信号は、電力送信機１２０を非アクティブにするための要求を含む。例えば、レース機構の一部として、航空機システム１０５は、電力送信機１２０を非アクティブにすることができる。
【００４１】
ブロック５２５において停止条件が検出されると、コントローラ１３０は、ブロック５３０に進むように構成される。コントローラ１３０は、上述したおよび他の適切な停止条件の１つまたは複数または組み合わせを検出すると、ブロック５３０に進むように構成することができる。
【００４２】
ブロック５３０において、停止条件を検出することに応答して、コントローラ１３０は、電力送信機１２０を非アクティブにするように構成される。例えば、コントローラ１３０は、電力送信機１２０のレーザまたはマイクロ波のような電源を非アクティブにするように構成することができる。言い換えれば、コントローラ１３０は、電力分配セクション１１２方向への電力ビームの反射をディスエーブルするようにリフレクタを配向するように、位置決め機構を制御するように構成することができる。
【００４３】
ブロック５３５において、電力送信機１２０から電力を受信する前または後で、レースコース１１０は、ラップ（lap）からラップへ変更することができる。例えば、１つまたは複数の航空機システム１０５がチェックポイントを通過すると、レースコース１１０は、例えば、電力分配ルール等をリセットおよび／または変更することにより、レースコースのコンピュータで生成された（仮想の）エレメントを変更することにより変更することができる。
【００４４】
電力を航空機システムへ分配するシステムと方法が提供される。レース期間中、航空機システムは、電力送信機からレースコースの電力分配セクションにおいて、電力を受信するように構成することができる。電力送信機は、航空機システムが電力を遠隔で受信可能にするためにマイクロ波、レーザビーム、太陽光、または他の電磁放射の形態で、電力を送信することができる。さらに、電力送信機は、モバイルプラットフォーム（例えば、トラックまたは同様のもの）上、またはレースコースから離れた衛星上に配置することができ、それにより、レースコースのロケーションに柔軟性をもたせることができ、レースに必要な機器とセットアップ時間を低減することができる。
【００４５】
動作中、コントローラは、電力送信機をアクティブにするためのトリガ条件を検出するように構成することができる。トリガ条件は、電力分配セクションに対する航空機システムの閾値近接度、チェックポイントとして作用するエレメントへの航空機システムの閾値近接度、電力送信機をアクティブにするための航空機システムまたはエレメントからの信号を受信、または他の適切な条件であり得る。次に、コントローラは、電力送信機をアクティブにし、電力分配セクションの方向へ向けるように構成することができる。したがって、システムは、航空機システムが電力分配セクションにいるとき、またはその付近にいるときにのみ、電力送信機により高められた効率性を提供することができる。コントローラはさらに、放射された電力の閾値、航空機システムが受信した電力の閾値、または２以上の航空機システムに電力を分配するためのルールセットのような、停止条件の検出に基づいて、電力送信機を非アクティブにするように構成することができる。それゆえ、システムは、航空機システムのオーバーパワーを低減し、レースをよりダイナミックにすることができる。
【００４６】
当業者は、さらにより多くの代替インプリメンテーション、および可能変形例があることを理解するともに、上記例は、１つまたは複数のインプリメンテーションの例示に過ぎないことを理解するであろう。それゆえ、範囲は、添付した特許請求の範囲によってのみ限定される。
【図１】
2020531365.tif 000003
【図２】
2020531365.tif 000004
【図３】
2020531365.tif 000005
【図４】
2020531365.tif 000006
【図５】
2020531365.tif 000007
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
航空機システムのレースのためのシステムにおいて、
前記航空機システムがナビゲートする複数の物理エレメントを含むレースコースと、
前記複数の物理エレメントの少なくとも１つを含む前記レースコースの電力分配セクションと、
前記複数の物理エレメントの前記少なくとも１つと集積された電力送信機であって、前記電力送信機は、前記レースコースの前記電力分配セクションの方向へ向けられ、前記電力送信機は、前記電力分配セクションにおいて、前記航空機システムへ、及び前記航空機システム間で、電力を遠隔で送信するように構成された、電力送信機と、
前記電力送信機に動作可能に結合され、前記航空機システムへ電力を送信するように前記電力送信機をアクティブにし、指示し、および非アクティブにするコントローラと、
を備えた、航空機システムのレースのためのシステム。
【請求項２】
前記電力送信機は、
前記航空機システムへ、及び前記航空機システム間で、電力を遠隔で送信するように、レーザビームを放射するように構成されたレーザビームと、
前記レーザビームに結合され、前記レーザビームを方向づけする位置決め機構と、を備えた、請求項１に記載のシステム。
【請求項３】
前記電力送信機は、
前記航空機システムへ、及び前記航空機システム間で、電力を遠隔で送信するように、マイクロ波ビームを放射するように構成されたマイクロ波エミッタと、
前記マイクロ波エミッタと結合され、前記マイクロ波ビームを方向づける位置決め機構と、
を備えた、請求項１に記載のシステム。
【請求項４】
前記電力送信機は、
前記航空機システムへ、及び前記航空機システム間で、電力を遠隔で送信するように、太陽光を反射するように構成されたリフレクタと、
前記リフレクタに結合され、前記航空機システムの方向へ前記反射された太陽光を方向づける位置決め機構と、
を備えた、請求項１に記載のシステム。
【請求項５】
前記航空機システムは遠隔操縦される、請求項１に記載のシステム。
【請求項６】
前記航空機システムは、有人である、請求項１に記載のシステム。
【請求項７】
前記航空機システムは、
少なくとも１つのエンジンを含む推進サブシステムであって、前記推進サブシステムは、前記航空機システムを推進するように構成された推進サブシステムと、
前記航空機システムをナビゲートするように構成されたナビゲーションサブシステムと、
前記電力送信機から電力を受信するように構成された電力受信機と、前記電力受信機からの前記電力を前記航空機システムに電力供給するための使用可能なエネルギに変換するように構成された電力コンバータと、前記航空機システムへ電力供給するための使用可能エネルギを記憶するように構成されたエネルギストレージユニットを含む電力管理サブシステムと、
を備えた、請求項１に記載のシステム。
【請求項８】
前記電力管理サブシステムは、さらに、前記電力送信機から放射された電力を検出し、前記電力受信機により受信した電力を測定し、前記エネルギストレージユニットにより記憶されたエネルギをモニタするセンサとを備えた、請求項７に記載のシステム。
【請求項９】
前記ナビゲーションサブシステムは、付近の航空機システムを見つけるためのローカライゼーションシステムをさらに備えた、請求項７に記載のシステム。
【請求項１０】
前記コントローラは、航空機システムが、前記電力分配セクションから所定の距離内にあるとき前記電力送信機をアクティブにするようにさらに構成される、請求項１に記載のシステム。
【請求項１１】
レースコースを通過するレース期間に複数の航空機システムに、及び前記航空機システム間で、電力を遠隔で分配する方法において、
電力送信機のコントローラにおいて、前記電力送信機の所定の近接度内前記複数の航空機システムのうちの１つの航空機システムを検出するステップであって、前記前記電力送信機は、前記航空機システムがナビゲートする前記レースコースの物理エレメントと集積される、検出するステップと、
電力送信機の前記コントローラにおいて、前記電力送信機をアクティブにするためのトリガ条件を検出するステップであって、前記トリガ条件は、前記航空機システムに基づく、検出するステップと、
前記トリガ条件を検出することに応答して、電力を供給するために、前記電力送信機をアクティブにするステップと、
前記電力を前記航空機システムへ送信するステップと、
を備えた、レースコースを通過するレース期間に複数の航空機システムに電力を遠隔で分配する方法。
【請求項１２】
前記トリガ条件を検出するステップは、前記複数の航空機システムの１つの航空機システムから信号を受信するステップであって、前記信号は、前記航空機システムの位置と速度に関するデータを含む、受信するステップと、
を備えた、請求項１１に記載の方法。
【請求項１３】
前記信号を受信するステップは、さらに、前記航空機システムから周期信号を受信するステップを備え、前記周期信号は、前記航空機システムの、前記位置と前記速度に関するデータを含む、請求項１２の方法。
【請求項１４】
前記電力を送信するステップは、前記航空機システムの、前記位置と前記速度に基づいて、前記航空機システムの方向へ電力を仕向けるように、前記電力送信機を指示するステップを備えた、請求項１２に記載の方法。
【請求項１５】
前記トリガ条件を検出するステップは、前記チェックポイントを通過する、前記航空機システムに基づいて、前記レースコースのチェックポイントの、コンピューティングデバイスから信号を、受信するステップを備えた、請求項１１に記載の方法。
【請求項１６】
前記トリガ条件を検出するステップは、前記航空機システムから信号を受信するステップを備え、前記信号は、前記電力送信機をアクティブにする要求を含む、請求項１１に記載の方法。
【請求項１７】
前記トリガ条件を検出するステップは、前記コントローラにより、前記航空機システムによる事前定義された操作を検出するステップを備えた、請求項１１に記載の方法。
【請求項１８】
前記コントローラにおいて、前記電力送信機を非アクティブにする停止条件を検出するステップと、
前記停止条件を検出することに応答して、前記電力送信機を非アクティブにするステップと、を更に備えた請求項１１に記載の方法。
【請求項１９】
前記停止条件を検出するステップは、前記電力送信機により、前記複数の航空機システムに放射された電力のしきい値量を検出するステップを備えた、請求項１８に記載の方法。
【請求項２０】
前記停止条件を検出するステップは、
前記複数の航空機システムの、それぞれの航空機システムにより受信された電力に関するデータを含む信号を受信するステップと、
前記信号に基づいて、前記電力送信機を非アクティブにするステップと、を備えた、請求項１８に記載の方法。
【請求項２１】
前記停止条件を検出するステップは、前記複数の航空機システムのうちの第２の航空機システムから信号を受信するステップを備え、前記信号は、前記電力送信機を非アクティブにする要求を含む、請求項１８に記載の方法。
【請求項２２】
ルールセットに基づいて、前記複数の航空機システムの２以上の航空機システム間で電力を分配するステップをさらに備えた、請求項１３に記載の方法。
【請求項２３】
前記レースコースをラップからラップへ変更するステップをさらに備えた、請求項１１に記載の方法。
【請求項２４】
複数の遠隔操縦される航空機システムのレースのためのシステムにおいて、
前記複数の航空機システムがナビゲートする複数の物理エレメントを含むレースコースと、
前記複数の物理エレメントの少なくとも１つを含む前記レースコースの電力分配セクションと、
前記物理エレメント前記少なくとも１つと集積された電力分配セクションにおける電力送信機であって、前記電力送信機は、前記電力分配セクションで，前記複数の航空機システムに電力を遠隔で送信するように構成された、電力送信機と、
前記少なくとも１つの航空機システムが、前記電力分配セクションから所定の距離内にあるとき、少なくとも１つの航空機システムに電力を送信するように前記電力送信機をアクティブにし、
前記少なくとも２つの航空機システムの方向へ電力を方向づけるように、前記電力送信機の位置決め機構を制御し、
前記複数の航空機システムの２以上の間で電力を分配するように、前記電力送信機と前記位置決め機構を制御し、
前記電力送信機を非アクティブにする、
ように前記電力送信機に動作可能に結合されたコントローラと、を備えた、複数の遠隔操縦される航空機システムのレースのためのシステム。
【請求項２５】
前記レースコースの前記電力分配セクションから離れた衛星上に位置するさらなる電力送信機をさらに備え、前記さらなる電力送信機は、前記レースコースの前記電力分配セクションにおいて前記航空機システムにさらなる電力を遠隔で送信するように構成される、請求項１に記載のシステム。
【国際調査報告】
2020531365.tif 000008
2020531365.tif 000009
2020531365.tif 000010